(57)【要約】  冷蔵庫キャビネット（１１）、冷凍庫などを真空発泡する方法および設備である。当該設備は、第一及び少なくとも第二発泡治具（３５）を支持する回転ドラム（２１）を含み、回転ドラム（２１）は各発泡治具（３５）を円形路に沿って下部位置からキャビネット（１１）を支持する基礎テーブル（２６）に向かって移動し、発泡治具（３５）内に閉鎖するようにするよう選択的に作動する。真空発泡槽（４１）は、各発泡治具（３５）に合わせて回転ドラム（２１）に固定されるベル（４２）と、可動テーブル（２６）に垂直で、ベル（４２）および発泡治具（３５）の下部位置の真空発泡槽（４１）内で機能する閉鎖キャップ（４３）とを含む。【選択図】図１
2008508124.tif 000002
【特許請求の範囲】
【請求項１】
空壁を具備する冷蔵庫および／または冷凍庫のキャビネット（１１）を発泡治具（３５）内で真空発泡する方法において、
第一および少なくとも第二発泡治具（３５）と各治具ハウジングベル（４２）とを回転支持ドラム上（２１）に設置し、各治具（３５）およびベル（４２）を円形路に沿って下部位置から連続的に移動させる工程と、
発泡治具（３５）の下部位置において、化学的に反応する発泡混合物をキャビネット（１１）の空壁に供給する工程と、
真空槽（４１）を機能させる下部キャップ（４３）によりハウジングベル（４２）を閉鎖する工程と、
円形路の下部位置において、真空槽（４１）および発泡治具（３５）内に真空状態を生成する工程と、かつ
各発泡治具（３５）およびハウジングベル（４２）を下部位置に連続的に設置して新しいキャビネット（１１）を真空発泡する一方で、前記円形路に沿って発泡されたキャビネット（１１）を移動させる工程により特徴付けられる方法。
【請求項２】
当該真空生成は、発泡混合物がキャビネット壁内に供給される前に行われることを特徴とする請求項１に記載の方法。
【請求項３】
当該真空生成は、発泡混合物がキャビネット壁内に供給される際に行われることを特徴とする請求項１に記載の方法。
【請求項４】
当該真空生成は、発泡混合物がキャビネット壁内に供給された後に行われることを特徴とする請求項１に記載の方法。
【請求項５】
当該発泡混合物は非常に反応のよい種類の混合物であることを特徴とする請求項１に記載の方法。
【請求項６】
当該非常に反応のよい混合物は、４５秒未満のゲル化時間と３００秒未満の重合時間とを有することを特徴とする請求項５に記載の方法。
【請求項７】
６００÷９００ミリバールの真空度の真空槽（４１）内で機能することを特徴とする請求項１に記載の方法。
【請求項８】
発泡されたキャビネット（１１）を有する各発泡治具（３５）は、支持ドラム（２１）のステップ回転により、発泡位置から発泡硬化位置を介して循環的に移動し、円形路に沿って連続的に配置された前記発泡位置に戻ることを特徴とする請求項１に記載の方法。
【請求項９】
キャビネット（１１）の空壁内でのフォームの増加中に、真空槽（４１）および発泡治具（３５）内で押圧状態下に維持することを特徴とする請求項１に記載の方法。
【請求項１０】
発泡治具（３５）に向かって冷蔵庫および／または冷凍庫キャビネット（１１）の空壁の真空発泡をする設備において、
回転可能に支持された治具ホルダードラム（２１）と、
回転ドラム（２１）と角度的に間隙を介した円形路に沿って移動する第一および少なくとも第二発泡治具（３５）と、
治具ホルダードラム（２１）に固定され各発泡治具（３５）を取り囲む治具ハウジングベル（４２）と、
各治具ハウジングベル（４２）の下部位置に真空槽（４１）を設けるための取り外し可能な閉鎖キャップ（４３）と、
回転ドラム（２１）の真下にありキャビネット（１１）と閉鎖キャップ（４３）を支持する垂直に移動可能な支持テーブル（２６）と、
ドラム（２１）のステップ回転を提供し、各ハウジングベル（４２）と発泡治具（３５）を下方に対面配置して、支持テーブル（２６）および閉鎖キャップ（４３）の上部に連続的に配置する第一制御手段（２４）と、
上下間で支持テーブル（２６）および閉鎖キャップ（４３）を垂直に移動させ、発泡治具（３５）を取り囲む真空槽（４１）をそれぞれ開口し閉鎖する第二制御手段（２９）と、
真空槽（４１）を真空源（４４）に選択的に接続する制御手段（４５、４６）を含むことを特徴とする設備。
【請求項１１】
当該治具ホルダードラム（２１）は、水平に配置された回転シャフト（２３）上に回転可能に支持されることを特徴とする請求項１０に記載の設備。
【請求項１２】
当該治具ホルダードラム（２１）は、キャビネット加熱ステーション（１０）と発泡されたキャビネットの受け取りステーション（１３）の間に設けられ、かつ
台車手段（１４）が、加熱ステーション（１０）と治具ホルダードラム（２１）の間と、治具ホルダードラム（２１）と発泡されたキャビネット（１１）の受け取りステーション（１３）の間のそれぞれにキャビネット（１１）を移動させることを特徴とする請求項１０に記載の設備。
【請求項１３】
当該支持テーブル（２６）は、前記下部位置および上部位置の間の中間位置内に移動可能であり、前記台車手段（１４）によってキャビネット（１１）を配置し取り外すことを可能とすることを特徴とする請求項１０に記載の設備。
【発明の詳細な説明】
【発明の背景】
【０００１】
本発明は、冷蔵庫、冷凍庫等の発泡、特に冷蔵庫を発泡する方法及び設備に関し、それによって真空状態下で二つ以上の発泡治具を用いて循環的に作動させ、当該フォームの増加工程をかなり促進することを可能とし、比較的短い時間で冷蔵庫キャビネットの空壁に完全に充填またはパッキングを確保するようにする。
【先行技術】
【０００２】
冷蔵庫キャビネットの発泡は、通常、発泡治具内でキャビネットを囲み、キャビネットの空壁でポリウレタンフォームの拡張により生み出された強力な内部推力に対抗することを可能とすることにより実行される。
【０００３】
通常、発泡治具は、冷蔵庫キャビネットを支持する底盤と、対応するキャビネットの側壁に近づいたり離れたりするよう移動可能に支持された四つの周辺盤と、キャビネットの一区画または複数の区画を貫通し、拡張中にポリウレタンフォームの内部推力に対抗するようにする成形プラグとを含む。
【０００４】
推力プラグは通常、支持構造体に固定され、一方で治具の底盤および周辺盤は上部推力プラグの方に上昇する可動テーブルにより支持される。
【０００５】
従来の冷蔵庫キャビネットを発泡する発泡治具は、たとえば伊国特許出願公開第１１６８０５９号明細書、米国特許第４，３７０，７５９号明細書、米国特許第４，４１１，４１３号明細書に開示される。
【０００６】
従来の長年使用されてきた発泡治具設備は、特に以下のようないくつかの制限と欠点がある。
−  各発泡治具は、実質的に固定され、具体的な補助機器が必要な処理回路を付属する。二つ以上の処理回路を有する複雑な設備において、この全てが膨大な空間の無駄と、極端に高い投資および管理費用が生じ、各処理回路が各機器により与えられる必要がある。
−  発泡工程の後、冷蔵庫キャビネットは、重合およびフォームの十分な硬化を可能とするのに十分な比較的長い時間、治具内に閉鎖状態にしておかなければならないため、作業サイクルには長い時間を必要とし、設備の生産性はかなり低い。
−  さらに、発泡されるべきキャビネットの型を変える必要があるときはいつでも、前の推力プラグを異なる種類の新しい推力プラグと交換し、全発泡治具に必要な調整を実行するのに必要な長い時間、設備を停止する必要があり、生産性について間接損害を生じる。
【０００７】
従来の発泡治具を使用する設備におけるこれらの制限および欠点を部分的に取り除くために、米国特許第４，６６４，６１４号明細書では回転式ドラムにより支持され、選択的に下層の発泡治具の方に設置することができる二つ以上の推力プラグを設けた発泡装置を使用することを提案する。
【０００８】
たとえこの種の装置がその汎用性から一定の改良を可能とするとしても、実際は従来の発泡設備に典型的な問題の一部は実質的には未解決のままである。
【０００９】
事実、ポリウレタン混合物の化学系の反応度に左右されるために、キャビネットが発泡治具内にある時間の長さは実質的に変化しないままであるので、全作業サイクルの長さを削減することは必然的に不可能である。
【００１０】
さらに、具体的な処理回路は依然として各個別発泡装置のために設けられる必要があり、空間、補助装置、および高額な投資・管理費用が結果として要求される。
【００１１】
あらゆる場合において、冷蔵庫キャビネットの発泡は大気圧下で実行し、外部環境に開かれた作業領域内にキャビネットを備えた治具を維持する。
【００１２】
ポリウレタン混合物の発泡は、化学系の反応度に密接に関係するため、フォームの増加および冷蔵庫キャビネットの壁に充填するのに必要な時間は、従来の発泡設備の作業サイクルの長さを決定する際の条件付け要因であるということも知られている。
【００１３】
これら設備のサイクル時間を削減し、生産性を改善するために、近年では化学的解決策を発見する試みが続けられている。特に、極端に短い反応時間を有するいわゆる「高速」ポリウレタン混合物の新規な化学系が開発・研究されている。
【００１４】
高い反応性または高速のポリウレタン混合物の使用により、冷蔵庫キャビネットの発泡の際、および一般的には成形品の製造の際にサイクル時間を削減することが可能となるが、実際には、この解決策もまたいくつかの欠点がある。一般に、それは冷蔵庫キャビネットの発泡や、巨大な、もしくは特別に複雑な構造を有するモールド内で発泡するのにはあまり適していない。
【００１５】
事実、ポリウレタン混合物の過度の反応性や重合速度のせいで、そのポリウレタン混合物は急速に粘性を増し、キャビネット壁またはモールドの空洞にフォームが完全に充填する前に凝固する傾向があり、結果として廃棄されるべき欠陥のあるキャビネットまたは成形品を製造することになる。
【００１６】
このため、従来の方法および装置を使った化学的解決策は冷蔵庫キャビネットの発泡にあまり適さないということが分かった。
【００１７】
モールドからガスを取り除くため、減圧または吸引を使うことも提案されている。たとえば米国特許第３，９７０，７３２号明細書、独国特許出願公開第４３２７８３２号明細書および欧州特許出願公開第９５４０２５号明細書では、成形プラスチック品用の器具における減圧の簡単な使用が記載される。
【００１８】
一方で、大気圧の簡単な減圧または空気の簡単な吸収は、モールドの内部で発達するガスを取り除くことに役立ち、またフォームの一定の分配を促進するが、このようにして完了する場合には、これは高い反応度を有するポリウレタン混合物を用いて複雑な構造を有する家庭用冷蔵庫キャビネットおよび冷凍庫を発泡するのに適さない。事実、冷蔵庫キャビネット側壁の二半殻の間に比較的低い真空度を生成し、側壁二半殻を変形させ内側へ湾曲させる傾向がある。キャビネットの壁内にスペーサや推力要素を使用することは、問題を完全に解決しないばかりか、製造工程をさらに複雑にし、追加的時間と費用を発生させる。
【００１９】
結果として、サイクル時間を削減し冷蔵庫キャビネットを発泡する設備の生産性を増加させ、同時に高い反応性により特徴付けられるポリウレタン剤の使用を可能とする新しい技術的解決策を発見する必要がある。
【発明の目的】
【００２０】
本発明の主要な目的は、冷蔵庫キャビネットなどの発泡方法を提供し、製造工程を改良し全設備のサイクル時間を削減することを可能とし、同時に十分な発泡とキャビネット壁の完全な充填を比較的短い時間で可能とし、一方では発泡中に圧力を均衡状態に維持することにある。
【００２１】
さらに本発明の目的は、冷蔵庫キャビネットを発泡する方法および設備を提供し、単一処理回路に連結された、いくつかの発泡治具を備えた単一発泡ステーションを使用し、それによって空間消費、付属装置の数、投資・管理費用を大幅に削減することにある。
【００２２】
さらに本発明の目的は、冷蔵庫キャビネットを発泡する方法で、高い反応性を具備するポリウレタン混合物を使用するのに特に適した方法を提供することにある。
【発明の簡単な説明】
【００２３】
この目的は、請求項１に記載の冷蔵庫キャビネットを発泡する方法、および請求項１０に記載の設備により達成することができる。
【００２４】
本発明によれば、上述の範囲は回転式ドラムにより二つ以上の発泡治具を支持し、真空槽内で冷蔵庫キャビネットを備えた各発泡治具を循環的に取り囲むことによって達成され、所定の真空度を生成し、ポリウレタンフォームの分配および増加をキャビネット壁の空洞を完全に満たすまで促進することを可能とする。
【００２５】
特に、本発明の方法は、空壁を具備する冷蔵庫および／または冷凍庫のキャビネットを発泡治具内で真空発泡するために提供され、以下の工程により特徴付けられる。すなわち、
第一および少なくとも第二発泡治具と各治具ハウジングベルとを回転支持ドラム上に設置し、各治具およびベルを円形路に沿って下部位置から連続的に移動させ、
発泡治具の下部位置において、化学的に反応する発泡混合物をキャビネットの空壁に供給し、
真空槽を機能させる下部キャップによりハウジングベルを閉鎖し、
円形路の下部位置において、真空槽および発泡治具内に真空状態を生成し、かつ
各発泡治具およびハウジングベルを下部位置に連続的に設置して新しいキャビネットを真空発泡する一方で、前記円形路に沿って発泡されたキャビネットを移動させる。
【００２６】
最も可能な発泡状態および真空度は、使用するポリウレタン剤および冷蔵庫キャビネットまたは発泡する品物の種類に関する適切な事前試験により検出する必要がある。たとえば、６００から９００ミリバール（６０００÷９０００Ｐａ）の真空度、および現在使用中のポリウレタン剤と比較して２０÷２５％低い重合度を有するポリウレタン剤により、たとえばフォームの最終密度、熱伝導率、発泡剤および／または反応水の種類および品質などの他の処理パラメーターと同一条件の下に処理することが便宜である。
【００２７】
本発明の目的のために、非常に反応のよいポリウレタン混合物という用語は、４０−４５秒以下のゲル化時間、および３００秒未満の重合時間で、８０ミリメートル以上のフォームの厚さとなる混合物を意味する。
【００２８】
本発明の更なる特徴によれば、本発明の設備は、冷蔵庫および／または冷凍庫キャビネットの空壁の真空発泡を真空治具内に提供し、
回転可能に支持された治具ホルダードラムと、
回転ドラムと角度的に間隙を介した円形路に沿って移動する第一および少なくとも第二発泡治具と、
治具ホルダードラムに固定され各発泡治具を取り囲む治具ハウジングベルと、
各治具ハウジングベルの下部位置に真空槽を設けるための取り外し可能な閉鎖キャップと、
回転ドラムの真下にありキャビネットと閉鎖キャップを支持する垂直に移動可能な支持テーブルと、
ドラムのステップ回転を提供し、各ハウジングベルと発泡治具を下方に対面配置して、支持テーブルおよび閉鎖キャップの上部に連続的に配置する第一制御手段と、
上下間で支持テーブルおよび閉鎖キャップを垂直に移動させ、発泡治具を取り囲む真空槽をそれぞれ開口し閉鎖する第二制御手段と、
真空槽を真空源に選択的に接続する制御手段を含むことを特徴とする。
【００２９】
本発明によれば、真空発泡およびいくつかの発泡治具を支持する回転ドラム設備を使用することにより、非常に反応のよい化学混合物を使用することを可能とするだけでなく、作業サイクルの長さをかなり削減し、フォームの増加、分配および充填を改善する助けとなる。
【００３０】
本発明に係る方法および設備の以上のおよび更なる特徴は、図面に言及して以下説明することによって、より明らかとなる。
【発明の詳細な説明】
【００３１】
図１は、本発明の一つの可能な実施形態による冷蔵庫キャビネットを発泡する設備を示す。
【００３２】
図に示すように、発泡設備は、発泡ステーション１２の側部に冷蔵庫キャビネット１１用の予熱ステーション１０を含み、発泡されたキャビネットの反対側の除荷ステーション１３は、フォームの最終硬化のための休止領域の方に移動することができる。
【００３３】
予熱ステーション１０から発泡ステーション１２、および発泡ステーション１２から除荷ステーション１３に適切な方法で冷蔵庫キャビネット１１を運搬することができる。たとえば、両側でキャビネット１３を保持する複数の吸引キャップなどの保持手段１５を設けた一つ以上の電動台車１４Ａ、１４Ｂを使用することが可能である。台車１４Ａおよび１４Ｂは適切に制御されて、作業ステーション間に長手方向に延在する案内レールに沿って走る。
【００３４】
予熱ステーション１０および除荷ステーション１３は、従来型でもよい。たとえば、予熱ステーション１０はロールテーブル１７を設けて個別のキャビネット１１を支持し、キャビネット１１をもう一つの加熱ユニット１８で加熱することができる。
【００３５】
同様に、除荷ステーション１３は一つ以上のロールテーブル１９を含み、その上で発泡されたキャビネットが適宜休止領域に運搬され、フォームの最終硬化をすることができる（図示せず）。
【００３６】
発泡ステーション１２は、フレーム２０を含んで回転ドラム２１を支持し、二つ以上の角度的に間隙を介した発泡治具２２が回転ドラムに固定される。例として二つの発泡治具を図示する。
【００３７】
図１の場合、治具ホルダードラム２１は構造体２０により支持され、発泡ステーション１２の長手方向に延在する水平軸２３に従って回転する。なお、ドラム２１やその回転軸の他の構造および／または配置は排除されていない。
【００３８】
ドラム２１の選択的なステップ回転を制御する比率動力装置２４を含む第一制御手段は、下方に向いている発泡治具２２の一つを用いて適宜ドラム２１を停止する。水圧式シリンダーあるいは空気圧式シリンダーにより作動する固定ボルトは、ドラム２１と係合して、所定の位置にドラム２１を係止する。
【００３９】
ドラム２１の真下の位置に、支持基盤要素２７を搭載する可動テーブル２６が、冷蔵庫キャビネットの後部壁に対して推力を提供するよう設計されていることが示される。
【００４０】
支持テーブル２６は、図１および図３に示す発泡治具の開口状態である最下位置と、図５に示す発泡治具を閉鎖する最上位置の間で移動することができ、図４に示す中間位置を介して冷蔵庫キャビネット１１を運搬し、台車１４Ａ、１４Ｂが下りて支持テーブル２６上の基盤２７から冷蔵庫キャビネット１１をそれぞれ保持することができる。
【００４１】
テーブル２６の上下運動は、どのような方法であれ、適当な機械式、電気式、水圧式、空気圧式制御手段またはそれらの組み合わせにより達成することができる。例えば、図示するように、テーブル２６は電動機２９により作動するラック・ピニオン方式２８により垂直に移動することができる。最後に、図中の参照番号３０は、定量の反応ポリウレタン混合物を冷蔵庫キャビネットの空壁内に射出する混合ヘッドを示す。
【００４２】
例では、治具ホルダードラム２１は、二つの対向する平面的側面を具備して、同数の発泡治具２２を支持する。
【００４３】
各発泡治具２２は成形プラグ３１Ａ、３１Ｂを含み、冷蔵庫キャビネット１１の一区画または複数の区画を貫通し、キャビネット壁の内部面に接触するように適合される。
【００４４】
プラグ３１Ａ、３１Ｂは、交互にプレート３２に固定され、順に回転ドラム２１の側面部に固定される。
【００４５】
支柱３３はプレート３２から延在し、接続連結具３４により治具の閉鎖中に冷蔵庫キャビネットの側壁外面と接触するように設計された周辺盤３５を支持し、拡張するフォームの内部推力を是正するようにする。
【００４６】
治具ホルダードラム２１は複数の発泡治具２２を設ける。例として二つの発泡治具を検討する。各治具２２は、ドラム２１のステップ回転によって、ここでは開始位置または発泡位置と呼ぶ所定の角度位置から開始していくつかの角度位置に移動することができ、そこでは発泡治具は下方に向いており、テーブル２６上で一つ以上の連続角度位置の方にキャビネットを積み降ろしし、フォームを硬化させ、すでに発泡された冷蔵庫キャビネットがそれぞれの発泡治具内に残って開始位置に戻るように循環的に移動し、フォームの硬化を完了した各キャビネットは支持テーブルから取り除かれ、発泡すべき他のキャビネットと取り替えられて、一時的に加熱ステーション１０内で予熱される。
【００４７】
冷蔵庫キャビネットは、図２の詳細図において概略的に示されており、実質的には、折れ端部３６’および３７’を具備する外部殻３６および内部殻３７からなり、その間に空隙３８が形成されてその中に化学的に反応する混合物が射出され、たとえば、ポリオールとイソシアネートを基礎とした混合物が射出され、キャビネット壁の空隙２２を完全に充填することを可能とするポリウレタンフォーム３９を形成するようにする。
【００４８】
対向折れ端部２０’および２１’に合わせて二つの殻３６および３７の間に間隙４０を設け、ポリウレタンフォームの拡張中に空気を放出するようにする。この場合、従来の発泡方法および治具ではキャビネット壁内に直接真空を生成することは不可能である。
【００４９】
本発明によれば、冷蔵庫キャビネットの真空発泡は、回転ドラムにより支持された発泡治具のそれぞれを循環的に取り囲むことにより実行することができ、開口し、かつきつく閉鎖するよう設計された真空槽４１内において、冷蔵庫キャビネット１３の導入および除去を可能とする方法で、各治具が下方を向く前記の発泡位置に対応する所定の角度位置において実行することができる。
【００５０】
真空槽４１は、どのような方法でも構成することができる。例では、各発泡治具用の上部ハウジングベル４２と、全てのハウジングベルに共通する底部閉鎖キャップ４３から構成される。各ベル４２は回転ドラム２１に固定され、一方でキャップ４３は可動テーブル２６上に垂直に配置されて、真空槽を画定する下方開口位置と上方閉鎖位置の間を移動するようにする。このことについてさらに以下説明する。
【００５１】
前述のように、そして図６のフロー図に言及してより詳細に示すように、ポリウレタン混合物の射出および発泡工程は、真空槽内、そして必然的に冷蔵庫キャビネットの外部殻３６および内部殻３７の間の空隙３８内で高い真空度を生成・維持することによって真空下で行われる。
【００５２】
これに関係して、冷蔵庫キャビネット１３を設けた各発泡治具は、回転ドラム２１に固定されたハウジングベル４２と可動テーブル２６に固定されたキャップ４３により形成された真空槽４１内に取り囲まれる。
【００５３】
ベル４２およびキャップ４３の周辺壁は適切に成形され、および／またはガスケットを設けた周辺縁部を具備して真空槽４１に必要な密封を確保するようにする。最後に、図中の参照番号４４は、制御バルブ４５および回転分配器４６により各ベル４２に選択的に接続可能であるポンプまたは真空源を示す。
【００５４】
代替的方法として、真空源への接続はキャップ４３を介してもよい。
【００５５】
冷蔵庫キャビネットの真空発泡方法および設備の作業動作について、前述の図および図６のフロー図に言及して以下さらに詳細に説明する。
【００５６】
発泡する冷蔵庫キャビネット１１は、最初に予熱炉１０に導入され、続くポリウレタン混合物の発泡に必要な所定の温度にするのに必要な時間留め置かれる（工程Ｓ１）。
【００５７】
炉１０内のキャビネットの予熱工程（工程Ｓ１）の後、キャビネット１１は取り除かれ、台車１４Ａにより発泡ステーション１２に運搬される（工程Ｓ２）。
【００５８】
そのとき、下方に向いた発泡治具２２は、発泡治具の周辺壁３５に固定された基盤２７を保持する固定ボルトを解除することにより開口する（工程Ｓ３）。
【００５９】
一時的に、支持テーブル２６は中間位置（図４）に上昇し、発泡されたキャビネットを有する基盤部材２７を受けとめる。発泡キャビネットは、まずフォーム硬化または稼動サイクルを完了し、基盤部材２７を備えたテーブル２６が完全に下降した後に（図３）、台車１４Ｂにより除荷ステーション１３に運搬することができる（工程Ｓ１１）。
【００６０】
すでに発泡されたキャビネットを取り除いた後、台車１４Ａはロールテーブル１７から他の予熱されたキャビネット１１を取り上げ、それをテーブル２６により支持された基盤部材２７上に配置し、再度一時的に図４の中間キャビネット除荷・受け取り位置まで上昇する（工程Ｓ４）。
【００６１】
治具２２および真空槽４１は、テーブル２６を完全に上昇させると同時に閉鎖する（工程Ｓ５）。事実、台車１４Ａが炉１０内に再度後方移動した後、全設備の動作を支配する電子制御ユニットが作動して基盤要素３７を備えたテーブル３６と新しいキャビネット１１を図５の上部位置まで上昇させる。
【００６２】
これらの状況において、プラグ３１Ａ、３１Ｂはキャビネット１１の内部にある一方で、発泡治具の四つの周辺盤３５は、それ自体は既知の方法でキャビネット１１の側壁外部面に対して押圧される。
【００６３】
同時に、そのとき下方を向いている発泡治具の基盤要素２７は、周辺盤３５に固定される。真空槽４１は順に密閉され、キャップ４３の周辺縁部は上部ベル４２の周辺縁部と接触する。
【００６４】
この点において、槽４１は、ポリウレタン混合物を冷蔵庫キャビネット壁の空隙３８に供給する（工程Ｓ６）前に、真空源４４に接続することができ（工程Ｓ７’）、またはその代わりに、槽４１内で真空が発生すると同時にまたはその直後にポリウレタン混合物を供給する（工程Ｓ７）。真空を生成する時間の選択は、具体的処理要求に左右され、適切な試験によりそれぞれの時間を決定しうる。
【００６５】
ポリウレタン混合物の供給工程が完了し、かつ望ましい真空度に達した後、フォームの完全な拡張およびキャビネット１１の壁に正しく充填することを可能とするのに十分な所定の時間間隔で真空が維持される。
【００６６】
新しいキャビネットの発泡が完了した後、かつテーブル２６が完全に下降して（工程Ｓ８）真空槽を開口した（工程Ｓ８’）後、ドラム２１は一工程により回転する（工程Ｓ９）。
【００６７】
ドラム２１の一工程による回転により、全ての発泡治具２２は前方に移動し、フォームの硬化サイクルおよび／または部分的硬化を完了した（工程Ｓ１０）新しい治具が、それが下方に向いている発泡ステーション１２内の基盤２７およびキャビネット１１を支持するテーブル２６上に移動する。
【００６８】
当該サイクルは、次に工程Ｓ３から再度前述のように開始する。
【００６９】
ここに提案する解決策は、結果として非常に有利なものであり、真空状態において、同じ種類もしくは異なる種類の二つ以上の発泡治具を用いて単一処理回路で循環的に動作することも可能である。このようにして、作業サイクルの時間削減を可能とするだけでなく、同一発泡ステーション内で少なくとも部分的に、回転ドラム上の各キャビネットの硬化時間のためにプラントを停止することなくフォームの硬化工程を実行することができる。
【００７０】
前述の方法によれば、真空を使用することにより、より高い反応性を持つポリウレタン混合物の使用を可能とし、さらに処理時間を削減し、発泡速度とフォームの十分な分配との間の適切な均衡を検出するのに役に立つ。以上は従来の技術では達成することが困難であることが分かっている。
【００７１】
さらに、設備の生産性がかなり増加し、従来の発泡設備と比較して投資・管理費用をかなり低く維持することができる。
【００７２】
しかしながら、図面に言及して説明したことは、純粋に例として本発明の一般的特徴を示すために挙げられたものであり、優位な実施形態の一つであるにすぎない。
【００７３】
それゆえ、全設備または設備の一部およびその動作方法について、添付の請求項の範囲を逸脱することなく他の改良または変更をすることができる。
【図面の簡単な説明】
【００７４】
【図１】本発明に係る発泡設備の側面図である。
【図２】冷蔵庫キャビネット壁の拡大詳細図である。
【図３】最下位置に可動支持テーブルがあり、真空槽が開口状態である図１の線３−３に沿って切った拡大断面図である。
【図４】中間位置に可動テーブルがある前図と同様の断面図である。
【図５】最上位置に可動テーブルがあり、真空槽が閉鎖状態の前図と同様の断面図である。
【図６】本発明に係る方法のフロー図である。
【図１】
2008508124.tif 000003
【図２】
2008508124.tif 000004
【図３】
2008508124.tif 000005
【図４】
2008508124.tif 000006
【図５】
2008508124.tif 000007
【図６】
2008508124.tif 000008
【国際調査報告】
2008508124.tif 000009
2008508124.tif 000010